(57)【特許請求の範囲】
【請求項１】
画像生成装置における調整可能な給紙トレイ側面ガイドの位置の決定方法であって、
検知器を有するコンタクトイメージセンサを用いて、標識体のうち、前記コンタクトイメージセンサが面する部分の大きさを検知するステップであって、
前記標識体は、非反射性であり、底辺に対し直角な高さ方向に対し傾斜角度が一定で連続的に傾斜する傾斜辺をもつ二等辺三角形の形状を持ち、前記給紙トレイと隣り合う固定フレームに固定され、
前記検知器は、前記標識体に面する矩形状部を含み、前記給紙トレイ側面ガイドに付属しており、前記給紙トレイ側面ガイドが移動する場合に前記検知器は前記二等辺三角形の前記高さ方向に移動し、前記給紙トレイ側面ガイドが前記高さ方向に移動する場合に、前記標識体のうち、前記矩形状部と面する部分の前記大きさが変化し、前記矩形状部の前記高さ方向長さは前記標識体の前記高さ方向の長さより小さい、ステップと、
検知された前記大きさに基づいて、１つの給紙トレイの前記調整可能な給紙トレイ側面ガイドの位置を決定するステップと、
前記調整可能な給紙トレイ側面ガイドの前記決定された位置に基づいて、前記給紙トレイ内の媒体の媒体幅を決定するステップと、
前記決定された媒体幅を、前記画像生成装置のユーザインターフェースに出力するステップと、を含む、方法。
【請求項２】
情報をユーザに表示するユーザインターフェースと、
非反射性であり、底辺に対し直角な高さ方向に対し傾斜角度が一定で連続的に傾斜する傾斜辺をもつ二等辺三角形の形状を持つ標識体であって、前記給紙トレイと隣り合う固定フレームに固定された標識体と、
前記標識体に面する矩形状部を含み、前記給紙トレイ側面ガイドに付属しているコンタクトイメージセンサであり、調整可能な給紙トレイ側面ガイドの位置検知器であって、前記標識体のうち、前記コンタクトイメージセンサが面する部分の大きさを検知する位置検知器と、
検知された前記大きさに基づいて、１つの給紙トレイの前記調整可能な給紙トレイ側面ガイドの位置を決定し、前記調整可能な給紙トレイ側面ガイドの前記決定された位置に基づいて、前記給紙トレイ内の媒体の媒体幅を決定し、前記決定した媒体幅を前記ユーザインターフェースに出力する、調整可能な給紙トレイ側面ガイドの位置決定ユニットとを含み、
前記位置検知器は、前記給紙トレイ側面ガイドが移動する場合に前記二等辺三角形の前記高さ方向に移動し、前記給紙トレイ側面ガイドが移動する場合に、前記標識体のうち、前記矩形状部と面する部分の前記大きさが変化し、前記矩形状部の前記高さ方向長さは前記標識体の前記高さ方向の長さより小さい、画像生成装置。
【発明の詳細な説明】
【技術分野】
【０００１】
本開示は、画像生成装置、それに対応した機器およびコンピュータ読取り可能媒体における、調整可能な給紙トレイ側面ガイドの位置の決定方法に関する。
【背景技術】
【０００２】
従来の様々な給紙システムに利用できる給紙トレイ側面ガイドは、これまでのところ、オペレータ配置（検知しない）、目立たない検知（複数の点検知器）、または、エンコーダタイプの制御（線形または回転式の）に依存している。これらの方法は、側面ガイドの配置と、それゆえに媒体の大きさの幅とを正確に決定するために、給紙トレイシステムの働きを制限している。さらに、エンコーダソリューションの場合は、負荷、アンロード、および／または、シャットダウン中にホーミングルーチンが必要とされる。
【０００３】
側面ガイドの位置フィードバックに関しては、従来の給紙システム設計のそれぞれに関する以下のような問題がある。
・検知しない：この方法は、システムにいかなるフィードバックも提供しない。
・目立たない検知：この設計は、おおよその配置のみを提供できる。このことは、検出設計の非連続的な性質のゆえである。
・エンコーダ検知：この設計は、より高い精度を提供できるが、最後のホーミング以来ガイドが移動しなかったことを確認するために、トレイが移動する度にホーミングステップを必要とする。
【発明の概要】
【課題を解決するための手段】
【０００４】
画像生成装置における調整可能な給紙トレイ側面ガイドの位置決定方法および画像生成装置を開示する。この方法は、検知器を有するコンタクトイメージセンサを用いて、標識体のうち、前記コンタクトイメージセンサが面する部分の大きさを検知するステップであって、前記標識体は、非反射性であり、底辺に対し直角な高さ方向に対し傾斜角度が一定で連続的に傾斜する傾斜辺をもつ二等辺三角形の形状を持ち、前記給紙トレイと隣り合う固定フレームに固定され、前記検知器は、前記標識体に面する矩形状部を含み、前記給紙トレイ側面ガイドに付属しており、前記給紙トレイ側面ガイドが移動する場合に前記検知器は前記二等辺三角形の前記高さ方向に移動し、前記給紙トレイ側面ガイドが前記高さ方向に移動する場合に、前記標識体のうち、前記矩形状部と面する部分の前記大きさが変化し、前記矩形状部の前記高さ方向長さは前記標識体の前記高さ方向の長さより小さい、ステップと、検知された前記大きさに基づいて、１つの給紙トレイの前記調整可能な給紙トレイ側面ガイドの位置を決定するステップと、前記調整可能な給紙トレイ側面ガイドの前記決定された位置に基づいて、前記給紙トレイ内の媒体の媒体幅を決定するステップと、前記決定された媒体幅を、前記画像生成装置のユーザインターフェースに出力するステップと、を含む。上記の画像生成装置は、情報をユーザに表示するユーザインターフェースと、非反射性であり、底辺に対し直角な高さ方向に対し傾斜角度が一定で連続的に傾斜する傾斜辺をもつ二等辺三角形の形状を持つ標識体であって、前記給紙トレイと隣り合う固定フレームに固定された標識体と、前記標識体に面する矩形状部を含み、前記給紙トレイ側面ガイドに付属しているコンタクトイメージセンサであり、調整可能な給紙トレイ側面ガイドの位置検知器であって、前記標識体のうち、前記コンタクトイメージセンサが面する部分の大きさを検知する位置検知器と、検知された前記大きさに基づいて、１つの給紙トレイの前記調整可能な給紙トレイ側面ガイドの位置を決定し、前記調整可能な給紙トレイ側面ガイドの前記決定された位置に基づいて、前記給紙トレイ内の媒体の媒体幅を決定し、前記決定した媒体幅を前記ユーザインターフェースに出力する、調整可能な給紙トレイ側面ガイドの位置決定ユニットとを含み、前記位置検知器は、前記給紙トレイ側面ガイドが移動する場合に前記二等辺三角形の前記高さ方向に移動し、前記給紙トレイ側面ガイドが移動する場合に、前記標識体のうち、前記矩形状部と面する部分の前記大きさが変化し、前記矩形状部の前記高さ方向長さは前記標識体の前記高さ方向の長さより小さい。
【図面の簡単な説明】
【０００５】
【図１】本開示の１つの可能な実施形態による画像生成装置の例示的な図である。
【図２】本開示の１つの可能な実施形態による画像生成装置の例示的なブロック図である。
【図３Ａ】図３Ａは本開示の１つの可能な実施形態による調整可能な給紙トレイ側面ガイドの位置決定環境の例示的な図である。
【図３Ｂ】図３Ｂは本開示の１つの可能な実施形態による調整可能な給紙トレイ側面ガイドの位置決定環境の例示的な図である。
【図３Ｃ】図３Ｃは本開示の１つの可能な実施形態による調整可能な給紙トレイ側面ガイドの位置決定環境の例示的な図である。
【図４】本開示の１つの可能な実施形態による調整可能な給紙トレイ側面ガイドの位置検知器によって検出された形状の大きさに応じた調整可能な給紙トレイ側面ガイドの位置の例示的なグラフである。
【図５】本開示の１つの可能な実施形態による調整可能な給紙トレイ側面ガイドの位置を決定するために用いられる、可能な検知方法を示す例示的な図である。
【図６】本開示の１つの可能な実施形態による例示的な調整可能な給紙トレイ側面ガイドの位置決定プロセスのフローチャートである。
【発明を実施するための形態】
【０００６】
開示した複数の実施形態は、画像生成装置における調整可能な給紙トレイ側面ガイドの位置の決定方法を含んでいてもよい。上記方法は、絶え間なく変化する傾斜した形状の標識体の大きさを検出するステップと、絶え間なく変化する傾斜した形状の標識体の検知された大きさに基づいて、１つの給紙トレイの調整可能な給紙トレイ側面ガイドの位置を決定するステップと、１つの給紙トレイの調整可能な給紙トレイ側面ガイドの決定された位置を画像生成装置のユーザインターフェースに出力するステップとを含んでいてもよい。
【０００７】
開示した複数の実施形態は、情報をユーザに表示するユーザインターフェースを含む画像生成装置と、絶え間なく変化する傾斜した形状の標識体と、絶え間なく変化する傾斜した形状の標識体の大きさを検出する、調整可能な給紙トレイ側面ガイドの位置検知器と、絶え間なく変化する傾斜した形状の標識体の検出された大きさに基づいて給紙トレイの調整可能な給紙トレイ側面ガイドの位置を決定する、調整可能な給紙トレイ側面ガイドの位置決定ユニットとをさらに含んでいてもよく、給紙トレイの調整可能な給紙トレイ側面ガイドの決定された位置をユーザインターフェースに出力する。
【０００８】
開示した複数の実施形態は、画像生成装置における調整可能な給紙トレイ側面ガイドの位置を決定することによって演算装置を制御するための、コンピュータ読取り可能媒体記憶命令を含んでいてもよい。この命令は、絶え間なく変化する傾斜した形状の標識体の大きさを検出するステップと、絶え間なく変化する傾斜した形状の標識体の検出された大きさに基づいて、給紙トレイの調整可能な給紙トレイ側面ガイドの位置を決定するステップと、画像生成装置のユーザインターフェースに、給紙トレイの調整可能な給紙トレイ側面ガイドの決定された位置を出力するステップとをさらに含んでいてもよい。
【０００９】
開示した複数の実施形態は、画像生成装置における調整可能な給紙トレイ側面ガイドの位置を決定するために用いられてもよいアレイ検知器（例えば、低価格のコンタクトイメージセンサ（ＣＩＳ）など）に関係していてもよい。調整可能な給紙トレイ側面ガイドの最終的な配置を、検知器の読み出しから直接決定してもよい。しかし、トレイ全体に及びうる単一のまたは縫って留められた検知器システムを用いることによる、コストの問題がある。この広がりは、相当なものである場合もあり（例えば、１８”以上）、画像生成装置モデルと共に様々であってもよい。
【００１０】
このように、開示した複数の実施形態は、Ａ６（１００ｍｍ）またはＡ８（５４ｍｍ）といった小さなＣＩＳ検知器を用いて、最終的および正確な側面ガイドの配置を決定する。このプロセスは、より長いＣＩＳシステムの使用と関連のある、コストおよび複雑さを著しく低減し、しかしながら、低価格のＣＩＳ検知器の機能に基づいた連続的および正確な測定も提供する。小さな検知器アレイ（例えば、ＣＩＳ（コンタクトイメージセンサ））を、三角形などの絶え間なく変化する形状に対してほぼ直角に取り付けることによって、任意の幅の紙の最終的および正確な側面ガイドの位置データを決定できる。さらに、このソリューションは、性能および位置精度を上げながら、あまり複雑ではなく、低価格のシステムを提供する。
【００１１】
給紙トレイまたは給紙フレームに、絶え間なく変わる形状をしたターゲットに対して垂直に取り付けられた検知器アレイに関して、検知器は、媒体または側面ガイドの動程の幅よりも非常に短い。この検知器／ターゲットシステムは、正確な位置調整データを提供しながら検知器の大きさの要件を低減するために、光学的縮小を引き起こす。
【００１２】
トレイ上の三角形の画像（デカール）に対して垂直な給紙装置にＣＩＳを取り付けることによって、検知器に本来備わっている精度を用いて、位置およびそれゆえに媒体の大きさを、動程の全範囲に及びうるアレイ検知器の使用に関連した費用または複雑さを伴わずに正確に識別できる。
【００１３】
この構想は、媒体供給トレイを含む多くの用途に適用可能であり、この大きさの媒体の検出は、印刷および複写などに重要である。例えばｉＧｅｎ給紙装置では、上記システムは、側面ガイドの位置データの提供に用いられる数個の連結された検知器を必要とする。これまでのところ、この設計は、側面ガイドの配置をなおも全く検出できず、従って、アルゴリズムによって、目立たない検知器を用いておおよその配置を識別する必要がある。
【００１４】
このようにして、開示した複数の実施形態は、側面ガイドの位置／媒体の大きさを識別するという問題を解決するとともに複雑さを低減し、媒体の大きさを低価格で正確に識別する方法を用いることによって性能を改善する。
【００１５】
開示した複数の実施形態の調整可能な給紙トレイ側面ガイドの位置決定機器および方法の利点は、以下のことを含んでいる。
・長さ、複雑さ、および、コストが低減されたことにより、検知器の可用性が改善される。
・正確な位置／紙の大きさのフィードバック。
・実行中およびアンロードまたはシャットダウン後のホーミング動作の除去。
・ハイエンドシステムを介した低価格システム用の給紙トレイのための、低価格／高精度なソリューション。
【００１６】
１つの可能な実施形態では、フレームに関する確かなまたは分割された位置の参照基準（例えば、画像生成装置の給紙部分のフレームに付属している、デカール、腐食剤、へこみなど）を検出するように、調整可能な給紙トレイ側面ガイドにＣＩＳが取り付けられる。限られた範囲における線形位置を測定するための、検知器の本来備わっている働きを用いて、絶え間なく変化する傾斜した形状の標識体の大きさによって、配置を識別してもよい。この検知器はまた、様々な大きさまたは形状の付加的な識別マークを検出できてもよく、一連の分割された域のようにより大きな範囲に及ぶことができる。このようにして検知器を用いて、検知器が各特定の域のインデックスマークを基準としてそのとき測定している実際の位置を見ている域または部分を検出できることによって、本来備わっている高解像度をあらゆる動程範囲に用いることができる。
【００１７】
図１は、本開示の１つの可能な実施形態に従った、画像生成装置１００の例示的な図である。画像生成装置１００は、例えば、複写機、印刷装置、ファクシミリ装置、および、多機能装置（ＭＦＤ）を含む、画像生成文書（例えば、印刷文書、複写物など）を形成できる任意の装置または装置の組み合わせであってもよい。
【００１８】
画像生成装置１００は、所望の画像を生じさせるために画像信号を用いるハードウェア、を含む画像生成部分１２０と、画像が印刷されるシートを記憶および供給する独立型給紙部分１１０と、マーク付けエンジンから出力された印刷を、積層する、折り畳む、留め金でとめる、縛るなどのためのハードウェアを含んでいる出力部分１３０とを含んでいてもよい。画像生成装置１００を複写機として使用できる場合、画像生成装置１００は、さらに、文書給紙装置１４０を含んでいてもよい。この給紙装置は、もとのハードコピー画像から反射された光からの信号をデジタル信号に変換するように動作する。このデジタル信号は、画像生成部分１２０によって複写を生じさせるように順に処理される。画像生成装置１００はまた、その動作を制御するためのローカル・ユーザ・インターフェース１５０を含んでいてもよい。他方、画像データおよび命令のもう１つのソースが、印刷装置がネットワークを介して接続されている任意の多数のコンピュータを含んでいてもよい。
【００１９】
給紙部分１１０を参照すると、この部分は、任意の多数の給紙トレイ１６０を含んでいてもよく、このトレイのそれぞれは、媒体スタック１７０、または、所定のタイプ（大きさ、重さ、色、被覆剤、透明度など）の印刷用紙（「媒体」）を記憶し、給紙装置を含んでいてもよく、指示されると上記給紙装置の中にシートのうちの１枚を供給する。あるタイプの媒体は、適切に供給されるために、特別な扱いを必要とする場合がある。例えば、より重いまたはより大きい媒体を、望ましくは、エアナイフ、フラッファ、真空グリップ、または、空気圧に関する他の適用例（図示せず）を用いることによって、媒体スタック１７０から媒体スタック１７０における上端の一シートまたは複数のシートの方へ引き出してもよい。あるタイプの被覆された媒体を、熱を用いることによって、例えば温風の流れ（図示せず）によって、媒体スタック１７０から有効に引き出してもよい。次に、選択された給紙トレイ１６０において媒体スタック１７０から引き出された媒体のシートを、画像生成部分１２０に移動してもよく、そこに１つまたは複数の画像を受信する。次に、印刷された用紙を出力部分１３０に移動する。この出力部分では、技術的によく知られているように、上記用紙を他の媒体シートと照合し、留め金でとめ、折り畳み、穴を開けるなどしてもよい。
【００２０】
画像生成装置１００は、独立型給紙部分１１０（またはモジュール）、および／または、独立型出力（終了）部分１３０（または、開示した複数の実施形態の精神および範囲内のモジュール）であってもよく、あるいは、上記のモジュールを含んでいてもよいことに、留意せよ。
【００２１】
図２は、本開示の１つの可能な実施形態に従った、画像生成装置１００の例示的なブロック図である。画像生成装置１００は、バス２１０、プロセッサ２２０、メモリ２３０、読取り専用メモリ（ＲＯＭ）２４０、調整可能な給紙トレイ側面ガイドの位置決定ユニット２５０、給紙部分１１０、出力部分１３０、ユーザインターフェース１５０、スキャナ２６０、調整可能な給紙トレイ側面ガイドの位置検知器２７０、通信インターフェース２８０、および、画像生成部分１２０、を含んでいてもよい。バス２１０は、画像生成装置１００の構成要素間の通信を許可してもよい。
【００２２】
プロセッサ２２０は、命令を解釈および実行する少なくとも１つの従来のプロセッサまたはマイクロプロセッサを含んでいてもよい。メモリ２３０は、読取り書込み記憶装置（ＲＡＭ）、または、プロセッサ２２０によって実行するための情報および命令を記憶するもう１つのタイプの動的な記憶装置であってもよい。メモリ２３０はまた、読取り専用メモリ（ＲＯＭ）を含んでいてもよく、上記読取り専用メモリは、従来のＲＯＭ装置、または、プロセッサ２２０用の静的情報および静的命令を記憶するもう１つのタイプの静的記憶装置を含んでいてもよい。
【００２３】
通信インターフェース２８０は、ネットワークを介して通信を促進する任意のメカニズムを含んでいてもよい。例えば、通信インターフェース２８０は、モデムを含んでいてもよい。あるいは、通信インターフェース２８０は、他の装置および／またはシステムとの通信を支援するための他のメカニズムを含んでいてもよい。
【００２４】
ＲＯＭ２４０は、従来のＲＯＭ装置、または、プロセッサ２２０用の静的情報および静的命令を記憶するもう１つのタイプの静的記憶装置を含んでいてもよい。記憶装置が、ＲＯＭを補強してもよく、例えば磁気記録媒体または光記録媒体およびそれに対応した駆動装置などの任意のタイプの記憶装置媒体を含んでいてもよい。
【００２５】
ユーザインターフェース１５０は、１つまたは複数の従来のメカニズムを含んでいてもよく、上記メカニズムは、例えば、ユーザが情報を入力でき、キーボード、表示装置、マウス、ペン、音声認識装置、タッチパッド、ボタンなどといった画像生成ユニット１００と対話する。出力部分１３０は、例えば排出トレイ、出力経路、終了部分などを含む、画像生成文書をユーザに出力する１つまたは複数の従来のメカニズムを含んでいてもよい。画像生成部分１２０は、例えば画像の印刷および／または複写部分、スキャナ、定着器などを含んでいてもよい。スキャナ２６０は、文書を走査して走査された文書から電子画像を生じさせる、任意の装置であってもよい。スキャナ２６０はまた、例えばマーク付け読取り可能コードまたはマーク付けを走査、認識、および、復号してもよい。調整可能な給紙トレイ側面ガイドの位置検知器２７０は、例えば、コンタクトイメージセンサ（ＣＩＳ）、または、２次元（２Ｄ）検知器アレイであってもよい。
【００２６】
画像生成装置１００は、このような機能を、例えばメモリ２３０といったコンピュータ読取り可能媒体に含まれる命令の順序を実行することによって、プロセッサ２２０に応じて実施してもよい。このような命令を、記憶装置といったもう１つのコンピュータ読取り可能媒体から、または、通信インターフェース２８０を介した個別の装置から、メモリ２３０に読み取ってもよい。
【００２７】
調整可能な給紙トレイ側面ガイドの位置決定ユニット２５０の動作について、図３Ａ〜３Ｃ、図４、図５、および、図６のフローチャートを参照しながら説明する。
【００２８】
図３Ａ〜３Ｃは、本開示の１つの可能な実施形態による調整可能な給紙トレイ側面ガイドの位置決定環境の例示的な図である。図３Ａ〜３Ｃのそれぞれは、調整可能な給紙トレイ側面ガイド３４０、静的な給紙トレイ側面ガイド３６０、絶え間なく変化する傾斜した形状の標識体３５０、媒体スタック１７０、および、調整可能な給紙トレイ側面ガイド検知器２７０を含む。
【００２９】
図３Ａは、例えば中間媒体シート幅３１０用に位置付けられた、調整可能な給紙トレイ側面ガイド３６０を示す。図３Ｂは、例えば給紙トレイ１６０によって可能になる最も大きいシート幅３２０（または、媒体シートの長さ）用に位置付けられた、調整可能な給紙トレイ側面ガイド３６０を示す。図３Ｃは、例えば給紙トレイ１６０によって可能になる最も小さい媒体シート幅３３０用に位置付けられた、調整可能な給紙トレイ側面ガイド３６０を示す。
【００３０】
絶え間なく変化する傾斜した形状の標識体３５０は、側面ガイドがそれらの最も幅の広い位置にあるときに最も大きい面積が生じるように、二等辺三角形として構成されていてもよい。絶え間なく変化する傾斜した形状の標識体３５０は、例えば、給紙トレイ１６０に隣接した固定フレームに設置されてもよい。図３Ｂの最も大きいシート幅３２０が、絶え間なく変化する傾斜した形状の標識体３５０の最も大きい（または、ほぼ最も大きい）部分に位置するので、次に、調整可能な給紙トレイ側面ガイド検知器２７０は、絶え間なく変化する傾斜した形状の標識体３５０のより大きな面積を検出してもよい。調整可能な給紙トレイガイド検知器２７０は、例えば調整可能な給紙トレイガイド３６０に付属していてもよい。
【００３１】
図示したように、図３Ａは、中間媒体シート幅と同等である絶え間なく変化する傾斜した形状の標識体３５０の「中間」の大きさを検出する。図３Ｃは、この例では最も小さい媒体シート幅と同等である絶え間なく変化する傾斜した形状の標識体３５０の「最も小さい」面積（または、ほぼ最も小さい面積）を検出する。この関係を、図４のグラフおよび線４１０で示す。上記線は、より面積の大きい絶え間なく変化する傾斜した形状の標識体３５０が検知されることを示す傾きを有している。調整可能な給紙トレイ側面ガイド３４０はより開いており、結果として、調整可能な給紙トレイ側面ガイド決定ユニット２５０によって決定された給紙トレイ１６０の媒体の幅は、より広くなる。
【００３２】
検出された面積から、調整可能な給紙トレイ側面ガイド決定ユニット２５０は、調整可能な給紙トレイ側面ガイドの位置３４０を決定してもよく、この位置から、例えば、幅（または長さ）および／または媒体タイプ（例えば、８．５”×１１”、Ａ４など）を決定してもよい。
【００３３】
側面ガイドがそれらの最も幅の広い位置にあるときに最も大きい面積が生じるように、絶え間なく変化する傾斜した形状の標識体３５０を示したが、例えば、絶え間なく変化する傾斜した形状の標識体３５０は、側面ガイドがそれらの最も幅の広い位置にあるときに最も小さい面積が生じるように、構成されていてもよい。さらには、絶え間なく変化する傾斜した形状の標識体３５０は、調整可能な給紙トレイ側面ガイド決定ユニット２５０が、本発明の精神および範囲内の絶え間なく変化する傾斜した形状の標識体３５０に沿ったどの位置であっても、調整可能な給紙トレイ側面ガイドの位置３４０を決定してもよいように、いかなる方法によって構成されていてもよい。
【００３４】
図３Ａ〜３Ｃに、絶え間なく変化する傾斜した形状の標識体３５０を二等辺三角形として示したが、当業者に知られているように、例えば直角三角形といった他の絶え間なく変化する傾斜した形状を用いてもよいということに留意されたい。
【００３５】
図５は、本開示の１つの可能な実施形態に従った、給紙トレイ側面ガイドの位置を決定するために用いられる、可能な形状検出プロセス５１０を示す例示的な図である。この例に示したように、絶え間なく変化する傾斜した形状の標識体３５０は、高さ３６４ｍｍ、底辺１００ｍｍ、傾き３．６４ｍｍ／ｍｍの直角三角形である。この例では、１画素（０．０４２ｍｍ）は、水平の側面ガイドの動程の垂直方向＝０．１５ｍｍに変わる。このように、左側（検出するために、絶え間なく変化する傾斜した形状の標識体３５０のより大きい面積）に示した位置にある調整可能な給紙トレイ側面ガイドの位置検知器２７０によって、調整可能な給紙トレイ側面ガイドの位置決定ユニット２５０は、０．０４２ｍｍ／画素において、長さ１００ｍｍ、２５００画素に決定してもよい。このように、調整可能な給紙トレイ側面ガイドの位置決定ユニット２５０は、調整可能な給紙トレイ側面ガイドの位置３４０を決定してもよく、この位置から、調整可能な給紙トレイ側面ガイドの位置決定ユニット２５０は、給紙トレイ１６０がＡ６の用紙を保持しているということを決定してもよい。
【００３６】
図６は、本開示の１つの可能な実施形態に従った、例示的な調整可能な給紙トレイ側面ガイドの位置決定プロセスのフローチャートである。上記方法は、ステップ６１００において開始してもよく、ステップ６２００へと続いてもよい。調整可能な給紙トレイ側面ガイドの位置検知器２７０は、絶え間なく変化する傾斜した形状の標識体３５０の大きさを検出してもよい。
【００３７】
ステップ６３００では、調整可能な給紙トレイ側面ガイドの位置決定ユニット２５０は、絶え間なく変化する傾斜した形状の標識体３５０の検知された大きさに基づいて、給紙トレイ１６０の調整可能な給紙トレイ側面ガイドの位置３４０を決定してもよい。ステップ６４００では、調整可能な給紙トレイ側面ガイドの位置決定ユニット２５０は、給紙トレイ１６０の調整可能な給紙トレイ側面ガイド３４０の決定された位置を、画像生成装置１００のユーザインターフェース１５０へと出力してもよい。上記プロセスは、次に、ステップ６５００および終了へと進んでもよい。
【００３８】
調整可能な給紙トレイ側面ガイドの位置決定ユニット２５０はまた、（調整可能な給紙トレイ側面ガイド３６０の決定された位置に基づいて給紙トレイおよび給紙部分１１０に応じた）媒体の幅または媒体の長さを決定してもよい。
【００３９】
調整可能な給紙トレイ側面ガイドの位置決定ユニット２５０は、例えば、決定された媒体の幅または媒体の長さを画像生成装置１００のユーザインターフェース１５０に出力してもよい。調整可能な給紙トレイ側面ガイドの位置決定ユニット２５０はまた、例えば、８．５”×１１”、Ａ４、Ａ６、３”×５”、封筒、ポストカードなどといった媒体タイプを決定してもよく、決定された媒体タイプを画像生成装置１００のユーザインターフェース１５０に出力してもよい。
【図１】
0005837830.tif 000002
【図２】
0005837830.tif 000003
【図３Ａ】
0005837830.tif 000004
【図３Ｂ】
0005837830.tif 000005
【図３Ｃ】
0005837830.tif 000006
【図４】
0005837830.tif 000007
【図５】
0005837830.tif 000008
【図６】
0005837830.tif 000009